【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
メディアオブジェクトのプレイリストを作成する方法であって、
一群のＩＤの選択内容を受信するステップであって、前記一群のＩＤの各々はメディアオブジェクトのコンテンツに基づいて作成されるところのステップと、
前記一群のＩＤに基づいてプレイリストを生成するステップと、
プレイリストＩＤの一定の表現を作成するステップと、
を有し、前記一定の表現は、前記一群のＩＤを生成するのに使用したメディアオブジェクトのコンテンツを含むメディアオブジェクトを判別するように、装置にプレイリストを使用させる
ことを特徴とする方法。
【請求項２】
前記メディアオブジェクトが１以上のコンテンツプロバイダにより用意され、異なるコンテンツプロバイダは、メディアオブジェクトについての、異なるソース情報又はディジタル権利マネジメントを使用する
ことを特徴とする請求項１記載の方法。
【請求項３】
前記プレイリストＩＤの前記一定の表現を読み取るステップと、
前記プレイリストＩＤを用いて前記一群のＩＤを判別するステップと、
前記一群のＩＤを用いてメディアオブジェクトを判別するステップと、
を更に有することを特徴とする請求項１記載の方法。
【請求項４】
前記一群のＩＤ中のＩＤが第１のメディアオブジェクトのコンテンツの一部分に基づいて生成され、ＩＤを生成するのに使用された前記コンテンツの一部分のＩＤ及び指標は、コンテンツの前記一部分が装置にとってアクセス可能か否かを装置が判別可能にする
ことを特徴とする請求項１記載の方法。
【請求項５】
プレイリストＩＤを作成する方法であって、
プレイリストＩＤを決定するステップと、
一群のＩＤの選択内容を受信するステップであって、前記一群のＩＤの各々はメディアオブジェクトのコンテンツに基づいて生成されるところのステップと、
前記一群のＩＤを前記プレイリストに関連付けるステップと、
前記プレイリストの一定の表現を作成するステップと、
を有し、前記一定の表現は、前記プレイリストに関連する前記一群のＩＤを生成するのに使用したメディアオブジェクトのコンテンツを含むメディアオブジェクトを判別するように、装置にプレイリストを使用させる
ことを特徴とする方法。
【請求項６】
１以上の追加的なＩＤの選択内容を受信するステップと、
１以上の追加的なＩＤを前記プレイリストに関連付けるステップと、
を更に有し、前記プレイリストの前記一定の表現は、前記プレイリストに関連する前記１以上の追加的なＩＤを生成するのに使用したメディアオブジェクトのコンテンツを含むメディアオブジェクトを判別するように、装置にプレイリストを使用させる
ことを特徴とする請求項５記載の方法。
【請求項７】
前記プレイリストＩＤの前記一定の表現は、前記一群のＩＤが前記プレイリストＩＤに関連する前に生成される
ことを特徴とする請求項５記載の方法。
【請求項８】
メディアオブジェクトのプレイリストを作成する装置であって、
一群のＩＤの選択内容を受信するロジックであって、前記一群のＩＤの各々はメディアオブジェクトのコンテンツに基づいて作成されるところのロジックと、
前記一群のＩＤに基づいてプレイリストを生成するロジックと、
プレイリストＩＤの一定の表現を作成するロジックと、
を有し、前記一定の表現は、前記一群のＩＤを生成するのに使用したメディアオブジェクトのコンテンツを含むメディアオブジェクトを判別するように、装置にプレイリストを使用させる
ことを特徴とする装置。
【請求項９】
前記メディアオブジェクトが１以上のコンテンツプロバイダにより用意され、異なるコンテンツプロバイダは、メディアオブジェクトについての、異なるソース情報又はディジタル権利マネジメントを使用する
ことを特徴とする請求項８記載の方法。
【手続補正２】
【補正対象書類名】明細書
【補正対象項目名】０１１１
【補正方法】変更
【補正の内容】
【０１１１】
上記の説明は例示であって限定ではない。開示内容を検討することで本発明に関する多くの変形例が当業者には明白になるであろう。従って本発明の範囲は上記の説明を参照しながら決定されるのではなく、その全範囲又は均等物と共に添付の特許請求の範囲を参照することで決定される。
以下、本発明により教示される手段を例示的に列挙する。
（１）
メディアオブジェクトのプレイリストを作成する方法であって、
一群のＩＤの選択内容を受信するステップであって、前記一群のＩＤの各々はメディアオブジェクトのコンテンツに基づいて作成されるところのステップと、
前記一群のＩＤに基づいてプレイリストを生成するステップと、
プレイリストＩＤの一定の表現を作成するステップと、
を有し、前記一定の表現は、前記一群のＩＤを生成するのに使用したメディアオブジェクトのコンテンツを含むメディアオブジェクトを判別するように、装置にプレイリストを使用させる
ことを特徴とする方法。
（２）
前記メディアオブジェクトが１以上のコンテンツプロバイダにより用意され、異なるコンテンツプロバイダは、メディアオブジェクトについての、異なるソース情報又はディジタル権利マネジメントを使用する
ことを特徴とする第１項記載の方法。
（３）
前記プレイリストＩＤが、前記一群のＩＤのリストを指すポインタを有する
ことを特徴とする第１項記載の方法。
（４）
前記プレイリストＩＤからの情報が、前記一群のＩＤを決定するのに使用される
ことを特徴とする第１項記載の方法。
（５）
前記プレイリストＩＤの前記一定の表現を読み取るステップと、
前記プレイリストＩＤを用いて前記一群のＩＤを判別するステップと、
前記一群のＩＤを用いてメディアオブジェクトを判別するステップと、
を更に有することを特徴とする第１項記載の方法。
（６）
前記一定の表現を読み取るリーダにとって、メディアオブジェクトのどれでもがローカルにアクセス可能か否かを判別するステップを更に有する
ことを特徴とする第５項記載の方法。
（７）
メディアオブジェクトのどれでもがローカルにアクセス可能であった場合に、該メディアオブジェクトをローカルにアクセス可能に出力するステップを更に有する
ことを特徴とする第６項記載の方法。
（８）
メディアオブジェクトのどれでもがローカルにアクセス可能でなかった場合に、ローカルにアクセス可能でないメディアオブジェクトの要求を行うステップを更に有する
ことを特徴とする第６項記載の方法。
（９）
前記要求をサービスに要求し、ローカルにアクセス可能でなかった前記メディアオブジェクトを検索するステップを更に有する
ことを特徴とする第８項記載の方法。
（１０）
ローカルにアクセス可能でなかったメディアオブジェクトを受信するステップと、
受信したメディアオブジェクトを出力するステップと、
を更に有することを特徴とする第９項記載の方法。
（１１）
前記一群のＩＤ中のメディアオブジェクトのＩＤが、実質的に同一コンテンツを含むメディアオブジェクト用のものと実質的に同様である
ことを特徴とする第１項記載の方法。
（１２）
メディアオブジェクトを判別する前記プレイリストＩＤを使用する装置が、前記プレイリストを作成するのに使用された第２の装置とは異なる
ことを特徴とする第１項記載の方法。
（１３）
前記一群のＩＤを受信するステップが、前記一群のＩＤの中でＩＤをスキャニングするステップを有する
ことを特徴とする第１項記載の方法。
（１４）
前記一定の表現が、バーコード及び／又はＲＦＩＤを含む
ことを特徴とする第１項記載の方法。
（１５）
前記一群のＩＤ中のＩＤが第１のメディアオブジェクトのコンテンツの一部分に基づいて生成され、ＩＤを生成するのに使用された前記コンテンツの一部分のＩＤ及び指標は、コンテンツの前記一部分が装置にとってアクセス可能か否かを装置が判別可能にする
ことを特徴とする第１項記載の方法。
（１６）
プレイリストＩＤを作成する方法であって、
プレイリストＩＤを決定するステップと、
一群のＩＤの選択内容を受信するステップであって、前記一群のＩＤの各々はメディアオブジェクトのコンテンツに基づいて生成されるところのステップと、
前記一群のＩＤを前記プレイリストに関連付けるステップと、
前記プレイリストの一定の表現を作成するステップと、
を有し、前記一定の表現は、前記プレイリストに関連する前記一群のＩＤを生成するのに使用したメディアオブジェクトのコンテンツを含むメディアオブジェクトを判別するように、装置にプレイリストを使用させる
ことを特徴とする方法。
（１７）
１以上の追加的なＩＤの選択内容を受信するステップと、
１以上の追加的なＩＤを前記プレイリストに関連付けるステップと、
を更に有し、前記プレイリストの前記一定の表現は、前記プレイリストに関連する前記１以上の追加的なＩＤを生成するのに使用したメディアオブジェクトのコンテンツを含むメディアオブジェクトを判別するように、装置にプレイリストを使用させる
ことを特徴とする第１６項記載の方法。
（１８）
前記プレイリストＩＤの前記一定の表現は、前記一群のＩＤが前記プレイリストＩＤに関連する前に生成される
ことを特徴とする第１６項記載の方法。
（１９）
メディアオブジェクトのプレイリストを作成する装置であって、
一群のＩＤの選択内容を受信するロジックであって、前記一群のＩＤの各々はメディアオブジェクトのコンテンツに基づいて作成されるところのロジックと、
前記一群のＩＤに基づいてプレイリストを生成するロジックと、
プレイリストＩＤの一定の表現を作成するロジックと、
を有し、前記一定の表現は、前記一群のＩＤを生成するのに使用したメディアオブジェクトのコンテンツを含むメディアオブジェクトを判別するように、装置にプレイリストを使用させる
ことを特徴とする装置。
（２０）
前記メディアオブジェクトが１以上のコンテンツプロバイダにより用意され、異なるコンテンツプロバイダは、メディアオブジェクトについての、異なるソース情報又はディジタル権利マネジメントを使用する
ことを特徴とする第１９項記載の方法。